(57)【要約】【課題】  落下防止用のワイヤーが取り付けられた状態で、高所作業用の手工具をそのホルダーケースに容易に挿脱することができる手工具を提案し、手工具の落下防止用のワイヤーの他端を取り付け可能としたホルダーケースを提案する。【解決手段】  ホルダーケース３０に納めて携帯する高所作業用の手工具において、落下防止用のワイヤー２０の一端を取り付けるための孔１８を、ホルダーケース３０のポケット３２への挿脱と係わらない位置に設ける。また、落下防止用のワイヤー２０の一端を取り付けた手工具を納めて携帯するための高所作業用の手工具のホルダーケース３０において、ワイヤー２０の他端を取り付けるための孔３６を設ける。【選択図】  図１
0003127163.tif 000002
【実用新案登録請求の範囲】
【請求項１】
高所における各種工事作業において使用し、ホルダーケース３０に納めて携帯する高所作業用の手工具において、
落下防止用のワイヤー２０の一端を取り付けるための孔１８を、ホルダーケース３０のポケット３２への挿脱と係わらない位置に設けたことを特徴とする高所作業用の手工具。
【請求項２】
高所における各種工事作業において使用し、落下防止用のワイヤー２０の一端を取り付けた手工具を納めて携帯するための高所作業用の手工具のホルダーケース３０において、
ワイヤー２０の他端を取り付けるための孔３６を設けたことを特徴とする高所作業用の手工具のホルダーケース。
【請求項３】
請求項１に記載の手工具と請求項２に記載のホルダーケースを組み合わせて使用する高所作業用の手工具及びそのホルダーケース。
【考案の詳細な説明】
【技術分野】
【０００１】
この考案は、建設工事、電気工事、通信工事等の高所作業で用いる手工具及びその手工具を携帯するためのホルダーケースに関するものである。
【背景技術】
【０００２】
高所における各種工事作業において、作業中に手工具が地上に落下することを防止するため、手工具にワイヤーを取り付ける手段がとられている。例えば、図５に示すように、柄１０の先端に突設したにソケットアーム１２の両側に、ソケット１４ａ、１４ｂを設けたソケットレンチにおいて、柄１０の下端に近接した位置に、落下防止用のワイヤー２０の一端を取り付けるための孔１６が設けられている。この孔１６にワイヤー２０の一端を取り付け、ワイヤー２０の他端を作業者が着用している安全ベルト等に取り付けることで、ソケットレンチが地上に落下することを防止している。
【０００３】
このように、高所作業用の手工具は、その手工具の柄１０の下端に近接した位置に、ワイヤー２０の取付用の孔１６を設けたものが一般的である。一方、高所作業用の手工具は、安全ベルトに装着したホルダーケース３０に納めて携帯されるが、ワイヤー２０が取り付けられた状態で、ホルダーケース３０に柄１０を挿脱することは甚だ不便であった。
【考案の開示】
【考案が解決しようとする課題】
【０００４】
この考案は、落下防止用のワイヤーが取り付けられた状態で、高所作業用の手工具をそのホルダーケースに容易に挿脱することができる手工具を提案することを目的とするものである。また、手工具の落下防止用のワイヤーの他端を取り付け可能としたホルダーケースを提案することを目的とするものである。
【課題を解決するための手段】
【０００５】
こうした目的を達成するため、この考案の高所作業用の手工具は、高所における各種工事作業において使用し、ホルダーケースに納めて携帯する高所作業用の手工具において、落下防止用のワイヤーの一端を取り付けるための孔を、ホルダーケースのポケットへの挿脱と係わらない位置に設けたことを特徴とするものである。
【０００６】
また、この考案の高所作業用の手工具のホルダーケースは、高所における各種工事作業において使用し、落下防止用のワイヤーの一端を取り付けた手工具を納めて携帯するための高所作業用の手工具のホルダーケースにおいて、ワイヤーの他端を取り付けるための孔を設けたことを特徴とするものである。
【考案の効果】
【０００７】
この考案の高所作業用の手工具は、落下防止用のワイヤーの一端を取り付けるための孔を、ホルダーケースのポケットへの挿脱と係わらない位置に設けたので、落下防止用のワイヤーが取り付けられた状態で、高所作業用の手工具をそのホルダーケースに容易に挿脱することができる。
【０００８】
また、この考案の高所作業用の手工具のホルダーケースは、落下防止用のワイヤーの他端を取り付けるための孔を設けたので、ワイヤーの他端を安全ベルト等に取り付ける必要がなくなり、その手工具用のホルダーケースに直接取り付けることが可能である。
【０００９】
また、この考案の手工具とホルダーケースを組み合わせて使用すれば、作業中に手工具が地上に落下することを確実に防止することができるとともに、落下防止用のワイヤーの取り付けも簡単でホルダーケースへの挿脱も容易となり、携帯の便宜と作業性の向上を図ることができる。
【考案を実施するための最良の形態】
【００１０】
以下に、この考案の最良の形態について図面の実施例に基づいて説明する。
図１から３は、この考案の高所作業用の手工具の実施例で、前例と同じく柄１０の先端に突設したにソケットアーム１２の両側に、ソケット１４ａ、１４ｂを設けたソケットレンチである。このソケットレンチはラチェット機構を有し、ソケットアーム１２の中空部１２ａに、ラチェット車と噛み合ってソケット１４ａ、１４ｂの正逆転を切替操作するための回動爪１３が設けられている。そして、落下防止用のワイヤー２０の一端を取り付けるための孔１８が、ソケットアーム１２の一方の側面から中空部１２ａに貫通して設けられ、孔１８にリング２２を嵌めてワイヤー２０の一端が取り付けられる。
【００１１】
図３に示すように、このソケットレンチは、安全ベルト４０に装着したホルダーケース３０のポケット３２に柄１０を納めて携帯される。図に示すように、ワイヤー２０の取り付け位置が上方位置であるからポケット３２への挿脱と係わらないので、ワイヤー２０が取り付けられた状態で、ソケットレンチをホルダーケース３０に容易に挿脱することができる。
【００１２】
図４は、この考案の高所作業用の手工具のホルダーケースの実施例で、ホルダーケース３０は、高所作業用の手工具を納めるポケット３２を設け、リベット３４でベルトループを形成して安全ベルト４０に装着される。このホルダーケース３０には、一端を手工具に取り付けた落下防止用のワイヤー２０の他端を取り付けるための孔３６が設けられ、孔３６にリング２２を嵌めてワイヤー２０の他端が取り付けられる。したがって、落下防止用のワイヤー２０の一端を手工具に取り付け、ワイヤー２０の他端をその手工具用のホルダーケース３０に直接取り付けることができる。
【００１３】
以上、図面の実施例について説明したが、この考案はこれに限定されるものではなく、ホルダーケース３０に納めて携帯する様々な高所作業用の手工具に適用可能である。また、ワイヤー２０の一端を取り付けるための孔１８は、ホルダーケース３０のポケット３２への挿脱と係わらない位置に設ければよく、実施例のソケットレンチであれば、柄１０の上方位置に設けてこれにワイヤー２０の一端を取り付けるようにすることもできる。
【図面の簡単な説明】
【００１４】
【図１】この考案の高所作業用の手工具の実施例の側面図。
【図２】要部の正面図。
【図３】ホルダーケースに納めた状態の正面図。
【図４】この考案の高所作業用の手工具のホルダーケースの正面図。
【図５】従来の高所作業用の手工具の正面図。
【符号の説明】
【００１５】
１８  孔
２０  ワイヤー
３０  ホルダーケース
３２  ポケット
３６  孔
【図１】
0003127163.tif 000003
【図２】
0003127163.tif 000004
【図３】
0003127163.tif 000005
【図４】
0003127163.tif 000006
【図５】
0003127163.tif 000007